(57)【要約】【課題】既存壁面に取付施工する場合でも面段差が防止されるとともに、切断ロスが減少する外装用下地パネルと、この外装用下地パネルを用いたタイル張り工法を提供する。【解決手段】外装用下地パネル１０は、裏側が発泡断熱材１１よりなり、表側が金属板１２よりなるものである。これら発泡断熱材１１と金属板１２とは樹脂層１３を介して接着されている。金属板１２の表面に粗面化処理が施されている。外装用下地パネル１０の発泡断熱材１１を既存壁２１の表面に当て、アンカー２２で固定する。【選択図】図２
2006063535.tif 000002
【特許請求の範囲】
【請求項１】
表側の金属板と、裏側の発泡断熱材とを有する長方形の外装用下地パネルにおいて、
該外装用下地パネルの裏面の全面に該発泡断熱材が露呈しており、
該外装用下地パネルの４端面において該発泡断熱材の端面全体が露呈していることを特徴とする外装用下地パネル。
【請求項２】
請求項１において、該金属板の表面に粗面化処理が施されていることを特徴とする外装用下地パネル。
【請求項３】
壁面をタイル張り壁面とするタイル張り工法において、
請求項１又は２に記載の外装用下地パネルを壁面に当接させてアンカーで固定し、
次いで該外装用下地パネルにタイル張りすることを特徴とするタイル張り工法。
【請求項４】
請求項３において、該壁面は既存壁面であることを特徴とするタイル張り工法。
【発明の詳細な説明】
【技術分野】
【０００１】
本発明は壁面をタイル張り壁面とする際に使用される外装用下地パネルと、この外装用下地パネルを用いたタイル張り工法とに関するものであり、特に金属板と発泡断熱材とからなる外装用下地パネル及びタイル張り工法に関するものである。
【背景技術】
【０００２】
壁面をタイル張り壁面とする際に使用される外装用下地パネルとして、金属板と発泡断熱材とを有するものが用いられることがある。
【０００３】
特開平１０−３１７５７９号公報には、発泡断熱材を芯材とし、これの表裏にアルミ板、鋼板等の金属板を設けたサンドイッチ構造のパネルが記載されている（第０００７、０００８段落、図１等）。同号公報のパネルにあっては、上下の端面が金属板で覆われ、両側端面に発泡断熱材が露呈している。なお、このパネルは複数枚突き合わせるようにして壁下地上に配設され、釘留めされ、突き合わせ面を覆うように防水テープが貼着される（第００２３段落、図７）。このパネルの前面にセラミック板（第００２１段落）等が取り付けられる。
【０００４】
特開平１１−２２３００５号公報には、金属板よりなる表皮材と発泡断熱材よりなる裏打材と、該裏打材の裏面に固着されたアルミライナー紙等のシートとを備えたサイディングパネルが記載されている。このサイディングパネルの前面にはタイルが固着されている（第００１９、００２０段落）。このサイディングパネルは、上下の端面が表皮材で覆われている（例えば図４）。
【特許文献１】特開平１０−３１７５７９号公報
【特許文献２】特開平１１−２２３００５号公報
【発明の開示】
【発明が解決しようとする課題】
【０００５】
Ｉ．上記特開平１０−３１７５７９号公報及び特開平１１−２２３００５号公報の外装用下地パネルにあっては、いずれも最裏面に金属板又はシートが設けられているため、該外装用下地パネルを既存壁面に当接した場合、既存壁面の不陸を吸収することができず外装用下地パネルの前面に面段差が生じる。
【０００６】
II．また、上記特開平１０−３１７５７９号公報及び特開平１１−２２３００５号公報の外装用下地パネルにあっては、上下の端面が金属板（表皮材）で覆われ、側端面に発泡断熱材が露呈するように上下の方向性が決まっているものであるため、現場の建物形状に合わせて９０°回転させて取付施工するようには使用できない。そのため、現場寸法に合わせて外装用下地パネルを切断する場合に、切断ロスが多くなる。
【０００７】
本発明は、上記従来の問題点を解消し、既存壁面に取付施工する場合でも面段差が防止されると共に、切断ロスが減少する外装用下地パネルと、この外装用下地パネルを用いたタイル張り工法を提供することを目的とする。
【課題を解決するための手段】
【０００８】
請求項１の外装用下地パネルは、表側の金属板と、裏側の発泡断熱材とを有する長方形の外装用下地パネルにおいて、該外装用下地パネルの裏面の全面に該発泡断熱材が露呈しており、該外装用下地パネルの４端面において該発泡断熱材の端面全体が露呈していることを特徴とするものである。
【０００９】
請求項２の外装用下地パネルは、請求項１において、該金属板の表面に粗面化処理が施されていることを特徴とするものである。
【００１０】
請求項３のタイル張り工法は、壁面をタイル張り壁面とするタイル張り工法において、請求項１又は２に記載の外装用下地パネルを壁面に当接させてアンカーで固定し、次いで該外装用下地パネルにタイル張りすることを特徴とするものである。
【００１１】
請求項４のタイル張り工法は、請求項３において、該壁面は既存壁面であることを特徴とするものである。
【発明の効果】
【００１２】
本発明の外装用下地パネル及びこれを用いたタイル張り工法にあっては、外装用下地パネルの裏面の全面に発泡断熱材が露呈している。従って、この外装用下地パネルを既存壁面に当接させた場合、既存壁面の不陸が吸収され、外装用下地パネル前面に面段差が生じることが防止される。
【００１３】
また、本発明の外装用下地パネルは、４端面において発泡断熱材の端面全体が露呈しているため、上下、左右の向きを変えたり９０°回して取付施工することができると共に、いずれの辺縁に沿っても切断して寸法合わせを行うことができる。従って、切断ロスが極めて少ないものとなる。
【００１４】
この外装用下地パネルの金属板の表面に粗面化処理を施しておくことにより、タイルを接着剤で張り付けるに際し、接着剤が硬化しない段階でタイルがズリ下がることが防止される。
【発明を実施するための最良の形態】
【００１５】
以下に、図面を参照して本発明の実施の形態について説明する。第１図（ａ）は本発明の実施の形態に係る外装用下地パネルの斜視図、第１図（ｂ）は第１図の外装用下地パネルの取付工法を説明する断面図、第２図は第１図の外装用下地パネルの取付工法を説明する斜視図である。
【００１６】
外装用下地パネル１０は、裏側が発泡断熱材１１よりなり、表側が金属板１２よりなるものである。これら発泡断熱材１１と金属板１２とは樹脂層（接着剤層）１３によって接着されている。この外装用下地パネル１０は長方形となっており、該外装用下地パネル１０の裏面の全面に該発泡断熱材１１が露呈しており、該外装用下地パネル１０の４端面において該発泡断熱材１１の端面全体が露呈している。この金属板１２の表面に粗面化処理が施されている。この粗面化処理としては、骨材入り塗料の塗布、サンドブラスト、その他金属板１２の表面に傷を付けること等が例示される。この粗面化処理は、粗面の凸部と凹部の平均高低差が１０μｍ以上、特に１５〜２５μｍとなるように施されることが好ましい。
【００１７】
次に、この外装用下地パネル１０の壁面への取付工法を第１図（ｂ）及び第２図を参照して説明する。
【００１８】
鉄筋コンクリート躯体（以下、ＲＣ躯体と記載する。）２０の外面に、モルタル等よりなる既存壁２１が設けられている。なお、本実施の形態では既存の建物の外壁に外装用下地パネル１０を別途取り付けるため、ＲＣ躯体２０に既存壁２１が設けられているが、建物の新築時に外装用下地パネル１０を取り付ける場合等のように、ＲＣ躯体２０に既存壁２１が設けられておらず、ＲＣ躯体２０に直に外装用下地パネル１０が取り付けられてもよい。
【００１９】
この既存壁２１の表面に該外装用下地パネル１０の発泡断熱材１１を当てる。そして、該外装用下地パネル１０から既存壁２１及びＲＣ躯体２０にわたってドリルビットによって穿孔し、該外装用下地パネル１０に貫通孔１０ａを設けると共に既存壁２１及びＲＣ躯体２０にアンカー穴２０ａを設ける。
【００２０】
次に、該貫通孔１０ａを通して該アンカー穴２０ａにアンカー２２を打ち込み、このアンカー２２にアンカーボルト２３を螺じ込む。これにより、外装用下地パネル１０が壁面に取り付けられる。
【００２１】
その後、この外装用下地パネル１０の上側の端面上に別の外装用下地パネル１０を当接させ、上記と同様にしてこの上段側の外装用下地パネル１０を壁面に取り付ける。
【００２２】
このようにして壁面に複数枚の外装用下地パネル１０を取り付けた後、隣接する金属板１２，１２の表側を跨ぐようにして防水テープ２７を張り付ける。
【００２３】
次いで、これら外装用下地パネル１０の金属板１２の表面に弾性接着剤２６を塗布し、この弾性接着剤２６を介してタイル２５を外装用下地パネル１０に張り付ける。
【００２４】
本実施の形態に係る外装用下地パネル１０と、この外装用下地パネル１０の取付工法にあっては、外装用下地パネル１０の裏面の全面に発泡断熱材１１が露呈している。従って、この外装用下地パネル１０を既存壁２１に当接させた場合、既存壁２１の不陸が吸収され、外装用下地パネル１０の前面に面段差が生じることが防止される。
【００２５】
また、この外装用下地パネル１０は、４端面において発泡断熱材１１の端面全体が露呈しているため、上下、左右の向きを変えたり９０°回して取付施工することができると共に、いずれの辺縁に沿っても切断して寸法合わせを行うことができる。従って、切断ロスが極めて少ないものとなる。
【００２６】
この外装用下地パネル１０の金属板１２の表面に粗面化処理を施しているため、タイル２５を接着剤２６で張り付けるに際し、接着剤２６が硬化しない段階でタイル２５がズリ下がることが防止される。
【図面の簡単な説明】
【００２７】
【図１】（ａ）は本発明の実施の形態に係る外装用下地パネルの斜視図であり、（ｂ）は（ａ）の外装用下地パネルの取付工法を説明する断面図である。
【図２】図１の外装用下地パネルの取付工法を説明する斜視図である。
【符号の説明】
【００２８】
１０  外装用下地パネル
１０ａ  貫通孔
１１  発泡断熱材
１２  金属板
１３  樹脂層
２０  ＲＣ躯体
２０ａ  アンカー穴
２１  既存壁
２２  アンカー
２３  アンカーボルト
２５  タイル
２６  弾性接着剤
２７  防水テープ
【図１】
2006063535.tif 000003
【図２】
2006063535.tif 000004